(57)【要約】【課題】複数のＬＥＤ素子が配置されるＬＥＤ照明器具において、ＬＥＤ素子ごとの光反射特性の組み合わせに柔軟に対応したＬＥＤ照明器具を提供すること。【解決手段】ＬＥＤ素子１６が複数実装されてなるＬＥＤ実装基板１５と、ＬＥＤ素子１６ごとに所望の光反射特性を有してＬＥＤ素子１６から発生する光を反射する光反射器１８と、ＬＥＤ実装基板１５に載置される光反射器支持基板１９とを備えている。光反射器支持基板１９は、ＬＥＤ素子１６の実装位置に対応する位置に開口部１９ａを有しており、この開口部１９ａに光反射器１８が装着される。【選択図】図１
2012089395.tif 000002
【特許請求の範囲】
【請求項１】
ＬＥＤ素子と、
前記ＬＥＤ素子が複数実装されてなるＬＥＤ実装基板と、
所望の光反射特性を有し、前記ＬＥＤ素子から発生する光を反射する光反射器と、
前記ＬＥＤ実装基板に載置され前記ＬＥＤ素子の実装位置に対応する位置に前記光反射器が装着される開口部を有する光反射器支持基板と、
を備えることを特徴とするＬＥＤ照明器具。
【請求項２】
前記光反射器と、前記光反射器支持基板と、前記ＬＥＤ実装基板と、を透明な樹脂により封止することを特徴とする請求項１に記載のＬＥＤ照明器具。
【請求項３】
前記光反射器は、光反射特性に応じた形状の光反射壁面を備えることを特徴とする請求項１又は２に記載のＬＥＤ照明器具。
【請求項４】
前記光反射器の備える光反射壁面は、平面であることを特徴とする請求項１乃至３に記載のＬＥＤ照明器具。
【請求項５】
前記光反射器の備える光反射壁面は、円錐面であることを特徴とする請求項１乃至３に記載のＬＥＤ照明器具。
【請求項６】
前記光反射器の備える光反射壁面は、楕円面であることを特徴とする請求項１乃至３に記載のＬＥＤ照明器具。
【請求項７】
前記光反射器の備える光反射壁面は、放物面であることを特徴とする請求項１乃至３に記載のＬＥＤ照明器具。
【請求項８】
前記光反射器の備える光反射壁面は、双曲面であることを特徴とする請求項１乃至３に記載のＬＥＤ照明器具。
【発明の詳細な説明】
【技術分野】
【０００１】
本発明は、光源としてＬＥＤ素子を使用した照明器具であるＬＥＤ照明器具に関する。
【背景技術】
【０００２】
近年、ＬＥＤ素子を光源とする照明器具が提案されている。例えば、基板に複数のＬＥＤ素子が取り付けられる構成において、個々のＬＥＤ素子は、反射体層内に形成された複数の開口部を有するカップなどの反射カップの各々の中に配置される。ここで、反射体層は高い反射材料でコーティングされた内面を有している（例えば、特許文献１など）。
【先行技術文献】
【特許文献】
【０００３】
【特許文献１】特開２００８−２１１１７４号公報
【発明の概要】
【発明が解決しようとする課題】
【０００４】
しかしながら、背景技術に例示したように、近年提案されているＬＥＤ照明器具は、基板に取り付けられた個々のＬＥＤ素子を取り囲む反射カップを有するところ、この反射カップは、基板に積層される反射体層に一体に成形される。
したがって、ＬＥＤ照明器具において、ＬＥＤ素子ごとに光の反射方向や反射強度などの光反射特性が異なる場合、ＬＥＤ照明器具ごとに反射体層を備える必要がある。ＬＥＤ照明器具の照明特性に係る仕様ごとに個々のＬＥＤ素子に要求される光反射特性の組み合わせは多岐に渡ることが予想され、その組み合わせごとに反射体層を準備する必要がある。ＬＥＤ照明器具の製造上、あらかじめ準備しておくべき反射体層の種類が多数に上り、製造上の管理が煩雑になるおそれがあり問題である。
【０００５】
また、複数のＬＥＤ素子に対する反射カップを一体に成形するため、加工物のサイズが大きく加工形状が複雑になる場合があり、加工精度等に限界があった。
【０００６】
本発明は、斯かる実情に鑑み、複数のＬＥＤ素子が配置されるＬＥＤ照明器具において、ＬＥＤ素子ごとに異なる光反射特性の組み合わせにも柔軟に対応することができ、製造上の負担が軽減されたＬＥＤ照明器具を提供するものである。
【課題を解決するための手段】
【０００７】
（１）ＬＥＤ照明器具であって、ＬＥＤ素子と、ＬＥＤ素子が複数実装されてなるＬＥＤ実装基板と、所望の光反射特性を有し、ＬＥＤ素子から発生する光を反射する光反射器と、ＬＥＤ実装基板に載置されＬＥＤ素子の実装位置に対応する位置に光反射器が装着される開口部を有する光反射器支持基板と、を備えることを特徴とする。
【０００８】
ＬＥＤ素子から出射される光を反射する光反射器と光反射器を装着する光反射器支持基板とを別個に備える構成を有している。これにより、ＬＥＤ実装基板に実装されてなるＬＥＤ素子ごとに光反射特性の異なる光反射器を容易に配置することができる。ＬＥＤ照明器具の照明仕様ごとに個々のＬＥＤ素子に要求される光反射特性の組み合わせが多岐に渡る場合にも多種類の部品を備える必要はなく、要求仕様に対して柔軟に対応することができる。様々な仕様に対して容易に対応することができる。ＬＥＤ照明器具を製造する際の在庫部材点数を削減して製造上の管理の簡略化を図ることができ、製造コストや製造に要する時間の短縮を図ることができる。
【０００９】
更に、複数のＬＥＤ素子に対応する光反射器をまとめて成形することに代えて１つのＬＥＤ素子に対応する光反射器を個別に成形するため、成形加工が容易になり、高い精度の光反射特性を有する光反射器の成形が可能となる。また、光反射器支持基板の開口部へ装着される光反射器の種類を所望の光反射特性に応じて変更することで、ＬＥＤ照明器具の光反射特性を容易に変更することが可能となる。
【００１０】
（２）また、本発明に係るＬＥＤ照明器具は、光反射器と、光反射器支持基板と、ＬＥＤ実装基板と、を透明な樹脂により封止してもよい。これにより、光反射器と、光反射器支持基板と、ＬＥＤ実装基板と、を固着する。また、ＬＥＤ実装基板について、防湿加工及び防滴加工を行うことが可能となる。
【００１１】
（３）また、本発明に係る光反射器の備える光反射壁面は光反射特性に応じた形状とすることができる。例えば、光反射壁面を平面とし、平面をＬＥＤ実装基板の光照射面の法線に対して所定の角度を有して形成することで、形成角度に応じて所定の方向へ光を反射させることが可能となる。
【００１２】
（４）また、本発明に係る光反射器の備える光反射壁面は、円錐面でもよい。光反射壁面を円錐面とし、円錐面とＬＥＤ実装基板の光照射面の法線とがなす角度を調整することで、光反射壁面により反射される光を任意の光分布とすることが可能となる。また、円錐面を形成する円錐の軸を所定の方向に設定することで、所定の方向へ光を照射することが可能となる。
【００１３】
（５）また、本発明に係る光反射器の備える光反射壁面は楕円面でもよい。光反射壁面を楕円面とし、楕円面の第１焦点へ光源であるＬＥＤ素子を配置することで、楕円面の第２焦点へ光を集中して反射することが可能となる。また、楕円面により区画される立体空間の対称軸を所定の方向へ傾けることで、所定の方向へ光を照射することが可能となる。
【００１４】
（６）また、本発明に係る光反射器の備える光反射壁面は、放物面でもよい。光反射壁面を放物面とし、放物面の焦点へ光源であるＬＥＤ素子を配置することで、光反射器から平行光を反射することが可能となる。また、放物面により区画される立体空間の対称軸を所定の方向へ傾けることで、所定の方向へ光を照射することが可能となる。
【００１５】
（７）また、本発明に係る光反射器の備える光反射壁面は、双曲面でもよい。光反射壁面を双曲面とし、双曲面の焦点へ光源であるＬＥＤ素子を配置することで、光反射器が無い場合に比べて光を広い範囲に拡散させることが可能となる。また、双曲面により区画される立体空間の対称軸を所定の方向に向けることで、所定の方向へ光を照射することが可能となる。
【発明の効果】
【００１６】
本発明によれば、複数のＬＥＤ素子が配置されるＬＥＤ照明器具において、ＬＥＤ素子ごとに所望の光反射特性が異なる場合にも、またＬＥＤ素子ごとの光反射特性を個別に変更する場合にも、個々に異なる光反射特性の光反射器をＬＥＤ素子ごとに個別に装着することができるＬＥＤ照明器具を製造上の負担を軽減して提供することができる。
【図面の簡単な説明】
【００１７】
【図１】実施例に係るＬＥＤ照明器具１０の斜視図
【図２】実施例に係るＬＥＤ照明器具１０の平面図
【図３】実施例に係るＬＥＤ照明器具１０の断面図
【図４】実装基板１１の断面図
【図５】ＬＥＤ実装基板１５の断面図
【図６】光反射基板１４の断面図
【図７】光反射器１８の断面図
【図８】光反射器支持基板１９の断面図
【図９】集光型の光反射器１８ａの断面図
【図１０】狭角型の光反射器１８ｂの断面図
【図１１】広角型の光反射器１８ｃの断面図
【図１２】横照射型の光反射器１８ｄの断面図
【図１３】ＬＥＤ照明器具２４による光照射の様子を示す図
【図１４】ＬＥＤ照明器具２５による光照射の様子を示す図
【図１５】ＬＥＤ照明器具２６による光照射の様子を示す図
【発明を実施するための形態】
【００１８】
以下、本発明の実施例について添付図面を参照して説明する。図１は本発明の実施例に係るＬＥＤ照明器具１０の斜視図、図２は図１に斜視図として示したＬＥＤ照明器具１０の平面図、図３は図１に斜視図として示したＬＥＤ照明器具１０の断面図である。
【００１９】
図１乃至図３に示すように、実施例に係るＬＥＤ照明器具１０は、発光基板１１と筐体１２と、透明樹脂などで作成されたカバー１３と、を備える。発光基板１１には、ＬＥＤ素子１６が、５×５のマトリクス状に実装されている。筐体１２は、発光基板１１から発生する熱を逃すための放熱フィン（不図示）及び発光基板１１へ電力を供給するための電源回路（不図示）などが内蔵されている。
【００２０】
実装基板１１は、図４にその断面図により示す様に、ＬＥＤ実装基板１５と光反射基板１４とを備える。ＬＥＤ実装基板１５には、図５において後述するように、ＬＥＤ素子１６が５×５のマトリクス状に配線基板１７に実装されており、電気的に通電制御が可能な回路を構成して結線がなされている。また、光反射基板１４は、図６において後述するように、ＬＥＤ素子１６が実装されている位置に開口部１９ａを備えて、この開口部１９ａにＬＥＤ素子１６が配置されるように、ＬＥＤ実装基板１５上に積層されて取り付けられている。ＬＥＤ実装基板１５と光反射基板１４とは、ネジなどを用いて固定され、あるいはカバー１３などの樹脂部材などにより封止して固定される。また、ＬＥＤ照明器具１０を構成する個々の部品について、防湿、防滴の効果を奏することができる。
【００２１】
図５にＬＥＤ実装基板１５の断面図を示す。ＬＥＤ実装基板１５には、ＬＥＤ素子１６が５×５のマトリクス状に実装され、総計２５個のＬＥＤ素子１６と配線基板１７とを備える。なお、ここでは、ＬＥＤ実装基板１５には、５×５のマトリクス状に実装された２５個のＬＥＤ素子１６を備えるとして説明したが、ＬＥＤ照明器具１０の仕様に応じて、実装されるＬＥＤ素子１６の数、マトリクス状に配置されるＬＥＤ素子１６の縦横の数の比は自由に選択できることはいうもでもない。また、ＬＥＤ実装基板１５にマトリクス状に実装されている各々のＬＥＤ素子１６間の配置間隔は、略等間隔であるとしているが、照明器具の仕様に応じて、適宜、異なる配置間隔とできることはいうまでもない。また、ＬＥＤ素子１６は、同心円等他の実装パターンで実装されていてもよい。各ＬＥＤ素子１６は、筐体１２から配線基板１７を通じて給電され、発光する。
【００２２】
図６に光反射基板１４の断面図を示す。光反射基板１４は、光反射器１８と光反射器支持基板１９とを備える。光反射器１８は、中空のドーナツ状の形状を有する部材である。ドーナツ状形状の内側面は所定の角度を有しており、その表面は光反射率が良好に加工されている。内側面の角度は、ＬＥＤ素子１６からの光を所望の方向に反射させるために設けられる。これにより、ＬＥＤ素子１６からＬＥＤ照明器具１０として照明特性に寄与しない方向に出射される光を所望の方向に反射することができ、ＬＥＤ照明器具１０の光照射特性を所望の特性にすることができる。有する方向への反射させる機能を有する。
【００２３】
光反射器支持基板１９は、ＬＥＤ実装基板１５に実装されるＬＥＤ素子１６の実装位置に応じた位置に開口部１９ａを備える。開口部１９ａには、光反射器１８が嵌め込まれて嵌合され、あるいはネジきりがしてある場合にはねじ込みにより螺合されて、装着される。なお、開口部１９ａは、光反射器１８の形状に応じて、円形や矩形などの多角形状などの形状でもよい。この場合、光反射器１８は、ドーナツ状の形状を有して内側面の角度と光反射率が所望の状態であれば、円環状のほか、矩形状やその他の多角形状の環状などとすることも可能である。光反射器支持基板１９の開口部１９ａに光反射器１８が装着され、光反射基板１４を構成する。
【００２４】
図７に光反射器１８の一例を示す。光反射器１８は樹脂や金属などで構成される。そして、光反射器１８の内側面は、光の反射率を向上させるために光反射率の良好な部材でコーティングなどがなされ、ＬＥＤ素子１６から発せられる光の反射効率を良好なものとする。光反射器１８の外側面は円筒状の外側面や多角形状の外側面と同様の形状をしており、光反射器支持基板１９の開口部１９ａの形状に合わせて作成される。また、外側面を円筒形状としながら、光反射機能を奏する内側面を円環状や矩形状などの多角形状の環状などとすることも可能である。これにより、光反射器支持基板１９の開口部１９ａに嵌合や螺合により装着することもできる。図７では、光反射器１８の内側面として一例を例示するにとどまるが、光反射器１８の内側面の形状や光反射効率などの光反射特性が異なる光反射器１８を複数種類も備えておくことができる。光反射器１８が光反射器支持基板１９の開口部１９ａに個々に固定されることから、ＬＥＤ照明器具１０における光反射器支持基板１９の開口部１９ａの位置に応じて異なる光反射特性を有する光反射器１８を装着してＬＥＤ照明器具１０として様々な照明特性を有するＬＥＤ照明器具１０を構成することができる。ここで、光反射特性として、例えば、光の反射方向や反射率を、光の照射方向において、指向性・異方性・局在性を有する特性とすることが考えられる。具体的には、図９乃至図１２を例にして後述する。
【００２５】
図８に光反射器支持基板１９を示す。光反射器支持基板１９は樹脂や金属などで構成される。光反射器支持基板１９は、ＬＥＤ実装基板１５上に載置された場合に、ＬＥＤ素子１６が位置する場所に応じて開口部１９ａを備える。開口部１９ａの形状は円形状や四角形などの多角形状である。
【００２６】
ここで、光反射器１８の光反射特性に異方性が要求される場合は、光反射器１８の内側面である光反射壁面は形状や光反射率などが中心軸に対して非対称に形成される場合がある。例えば、図１２において後述する横出射型の光反射器１８ｄの場合である。光反射器１８ｄは、光反射器支持基板１９の開口部１９ａに嵌合されて装着される場合、開口部１９ａおよび光反射器１８ｄの外側面が円形であると、嵌合された位置から円周方向に位置ズレが生じてしまうおそれがある。これを防止するためには、嵌合ではなく螺合にて装着すること、開口部１９ａおよび光反射器１８ｄの外側面の形状を多角形状や楕円形状など中心軸に対して回転が生じない形状とすることで対応することが考えられる。更に、開口部１９ａと光反射器１８ｄとの一方側に切欠部を備え他方側に切欠部と嵌合する突出部を備える構成とし円周方向の回転ズレを防止することで対応することができる。これにより、嵌合する際の位置決めを確実にし、その後の位置ズレを防止することができる。
【００２７】
図９乃至図１２に光反射器の例として光反射器１８ａ乃至１８ｄを示す。ＬＥＤ素子１６から発せられる光は放射状に出射される。一般的に、ＬＥＤ実装基板１５の実装面に対してＬＥＤ素子１６から法線方向の光の強度が最大であり、光の出射方向の法線とのなす角度が大きくなるに伴って強度が減衰するという特性を有している。本実施例において、ＬＥＤ素子１６から出射される光のうち、出射方向と法線とがなす角度が一定以上の光は、光反射器１８ａ乃至１８ｄで反射される。そして、光反射器１８ａ乃至１８ｄの内側面の形状に応じて、光の反射方向を制御することが可能となる。
【００２８】
図９に示す光反射器１８ａは集光型の構成である。内側面で構成される光反射壁面の形状は放物面状または楕円面状である。楕円面状である場合、楕円面の第１焦点にＬＥＤ素子１６を置くことで、楕円面の第２焦点へと光を集光することが可能である。
【００２９】
また、図示はしないが内側面で構成される光反射壁面の形状を放物面状とした場合、放物面の焦点へ光源であるＬＥＤ素子１６を配置することで、光反射器１８ａから平行光を反射することが可能となる。
【００３０】
ここで、放物面状または楕円面状の内側面により区画される立体空間の対称軸を所定の方向へ傾けることで、所定の方向へ光を照射することが可能となる。
【００３１】
図１０に示す光反射器１８ｂは狭角型の構成である。内側面で構成される光反射壁面の形状は多角錘の側面を構成する平面形状又は円錐の側面を構成する曲面形状であり、ＬＥＤ実装基板１５に対する法線と光反射壁面とがなす角度が狭角である。ＬＥＤ素子１６から出射される光および光反射器１８ｂにより反射される光は、後述する光反射器１８ｃに比べて狭い光分布とすることが可能である。ＬＥＤ実装基板１５に対する法線と光反射壁面とがなす角度として、例えば、５度程度が考えられる。広角型である光反射器１８ｃと比べて光照射の指向性が向上し、光をより遠くへ届けることが可能となる。
【００３２】
図１１に示す光反射器１８ｃは広角型の構成である。内側面で構成される光反射壁面の形状は、狭角型（図１０）の場合と同様に、多角錘の側面を構成する平面形状又は円錐の側面を構成する曲面形状である。広角型では、ＬＥＤ実装基板１５に対する法線と光反射壁面とがなす角度が広角である。ＬＥＤ素子１６から出射される光および光反射器１８ｃにより反射される光は、光反射器１８ｂに比べて広い光分布とすることが可能である。ＬＥＤ実装基板１５に対する法線と光反射壁面とがなす角度として、例えば、２０度程度が考えられる。狭角型である光反射器１８ｂと比べて指向性が緩く広角に光が照射されるので、ＬＥＤ照明器具１０の周辺を均等に照明することが可能となる。
【００３３】
ここで、多角錘または円錐の軸を所定の方向に設定することで、所定の方向へ光を照射することが可能となる。
【００３４】
図１２に示す光反射器１８ｄは横照射型の構成である。内側面で構成される光反射壁面の形状は、左右に非対称である。すなわち、光を照射したい方向には壁面の高さを低くして光の出射および反射を遮断しない構成とする。照射したい方向とは反対の方向には壁面を高くする。ＬＥＤ実装基板１５に対する法線と高い壁面を有する光反射壁面とがなす角度は、光反射器１８ｂ、１８ｃとは逆方向である。すなわち、光反射壁面が法線の方向に向かって延伸され、光反射壁面あるいはその延長された面がＬＥＤ素子１６を覆うように形成されている。これにより、ＬＥＤ素子１６から出射された光は、有効に光を照射したい横方向に向けて反射される。ＬＥＤ素子１６から出射される光および光反射器１８ｃにより反射される光を、所望の横方向に集中させることが可能である。ＬＥＤ照明器具１０の端部に実装されるＬＥＤ素子１６から出射される光をＬＥＤ照明器具１０による照射の中心方向あるいはその反対側である外方、またその他の方向に反射することができ、ＬＥＤ照明器具１０として光の照射特性に多彩にすることが可能となる。
【００３５】
また、図示はしないが、内側面で構成される光反射壁面の形状を双曲面状とした場合、双曲面の焦点へ光源であるＬＥＤ素子１６を配置することで、光反射器から平行光を反射することが可能となる。また、双曲面により区画される立体空間の対称軸を所定の方向に向けることで、所定の方向へ光を照射することが可能となる。
【００３６】
図１３乃至１５には、一例としてＬＥＤ照明器具２４乃至２６を例示する。
【００３７】
図１３のＬＥＤ照明器具２４は、装着される光反射器は全て同じ形状のものとする。例えば、広角型の光反射器１８ｃ（図１１）を装着する。これにより、個々のＬＥＤ素子１６から出射される光は、各々の光反射器により同じ光反射特性を有して反射される。これにより、ＬＥＤ照明器具２４は均等な照射特性を有することとなり、実装されるＬＥＤ素子１６の配置位置に応じて均等な照明とすることができる。街路灯などに使用すれば地表を均等に照らす照明とすることができる。
【００３８】
図１４のＬＥＤ照明器具２５は、ＬＥＤ照明器具２４（図１３）に装着される光反射器のうち、ＬＥＤ照明器具２５の一部に横出射型の光反射器１８ｄを装着する。これにより、ＬＥＤ照明器具２４と同様に均等な照明とすることができると共に照明範囲を更に横方向に広げることができる。ガソリンスタンドやその他の店舗などに使用すれば遠方からでも照明を視認することができ、店舗としていち早く認知してもらえるという効果を奏することができる。
【００３９】
図１５のＬＥＤ照明器具２６は、順次指向性の異なる光反射器１８ｂを装着する。大きな面積を有するなどＬＥＤ照明器具２６からの距離が照射場所によって異なる照明対象物を照明するために構成されるものである。狭角型の光反射器１８ｂを使用して、ＬＥＤ照明器具２６と照明対象物との距離に応じて、距離が長いほど光反射器１８ｂの指向性を強くする。近距離を照射する光反射器１８ｂ、中距離を照射する光反射器１８ｂ、遠距離を照射する光反射器１８ｂ、の順に光反射器１８ｂの指向性を順次強くすることで大面積の照明対象物を均等に照明することができる。この場合、近距離を照射する光反射器として、狭角型の光反射器１８ｂに代えて広角型の光反射器１８ｃを使用することもできる。広告塔や看板などの大面積の照明対象物を照明する場合、全体を均等に照明することができる。
【００４０】
以上、詳細に説明したように、本実施例よれば、ＬＥＤ照明器具１０は、ＬＥＤ素子１６から出射される光を反射する光反射器１８または１８ａ乃至１８ｄと、光反射器１８または１８ａ乃至１８ｄを装着する光反射器支持基板１９とを別個に備える構成を有している。これにより、ＬＥＤ実装基板１０に実装されてなるＬＥＤ素子１６ごとに光反射特性の異なる光反射器１８または１８ａ乃至１８ｄを容易に配置することができる。ＬＥＤ照明器具１０の照明仕様ごとに個々のＬＥＤ素子１６に要求される光反射特性の組み合わせが多岐に渡る場合にも、光反射特性に応じた光反射器１８または１８ａ乃至１８ｄを備えればよい。ＬＥＤ照明器具が備える全てのＬＥＤ素子に係る光反射器が一体に成形される部材であれば光反射器の組み合わせの数の部材を備えなければならないところ、在庫として準備すべき部品を低減して要求仕様に対して柔軟に対応することができる。ＬＥＤ照明器具１０を製造する際の在庫部材点数を削減して製造上の管理の簡略化を図ることができ、製造コストや製造に要する時間の短縮を図ることができる。
【００４１】
更に、個々のＬＥＤ素子１６に対応する光反射器１８または１８ａ乃至１８ｄであるので、成形加工が容易になり、高い精度の光反射特性を有する光反射器の成形が可能となる。
【００４２】
また、光反射器支持基板１９の開口部１９ａへ装着される光反射器１８または１８ａ乃至１８ｄの種類を所望の光反射特性に応じて変更することで、ＬＥＤ照明器具１０の光反射特性を容易に変更することが可能となる。
【００４３】
また、光反射器１８または１８ａ乃至１８ｄと光反射器支持基板１９とＬＥＤ実装基板１５とを透明な樹脂により封止すれば、各部財を固着することができると共に、防湿および防滴の加工とすることができる。
【００４４】
また、光反射器１８ａ乃至１８ｄに例示したように、光反射器１８ａ乃至１８ｄの内側面である光反射壁面を光反射特性に応じた形状とすることができる。
【００４５】
例えば、光反射壁面を平面とし、平面をＬＥＤ実装基板１５の光照射面の法線に対して所定の角度を有して形成することで、形成角度に応じて所定の方向へ光を反射させることが可能となる。
【００４６】
また、光反射壁面を円錐面とし、円錐面とＬＥＤ実装基板１５の光照射面の法線とがなす角度を調整することで、光反射壁面により反射される光を任意の光分布とすることが可能となる。
【００４７】
また、光反射壁面を楕円面とし、楕円面の第１焦点へ光源であるＬＥＤ素子１６を配置することで、楕円面の第２焦点へ光を集中して反射することが可能となる。
【００４８】
また、図示はされていないが、光反射壁面を放物面とし、放物面の焦点へ光源であるＬＥＤ素子１６を配置することで、光反射器から平行光を反射することが可能となる。
【００４９】
また、図示はされていないが、光反射壁面を双曲面とし、双曲面の焦点へ光源であるＬＥＤ素子１６を配置することで、光反射器が無い場合に比べて光を広い範囲に拡散させることが可能となる。
【００５０】
また、平面、円錐面、楕円面、放物面、または双曲面により区画される立体空間の対称軸を所定の方向に向けることで、所定の方向へ光を照射することが可能となる。
【００５１】
尚、本発明は前記実施例に限定されるものではなく、本発明の趣旨を逸脱しない範囲内での種々の改良、変更が可能であることは言うまでもない。
【００５２】
例えば、本実施例において例示したＬＥＤ照明器具１０では、ＬＥＤ素子１６を５×５のマトリクス状に配置する場合を例示して説明をしたが、本発明はこれに限定されるものではない。マトリクス状に配置される場合の縦・横それぞれのＬＥＤ素子１６の数は、５つに限らないことはいうまでもない。また、縦・横それぞれの配置数は必ずしも同数である必要ななく、縦・横の配置数が異なる長方形形状であっても良い。その他、ＬＥＤ素子１６の配置形状は自在に変更することができる。円形状、楕円形状ほか、任意の形状であってもよい。
【００５３】
また、光反射器の光反射壁面の形状についても自在に設定することは可能である。また、光反射壁面の形状のみでなく、光反射率を調整するコーティング剤の部分的な塗りわけなども自在に調整できることは言うまでもない。
【００５４】
また、本実施例では、光源としてＬＥＤ素子を例にとり説明したが、本発明において、光源はＬＥＤ素子に限定されるものではない。各種ランプ、ＥＬ素子等の発光部品等を配置することも可能である。
【符号の説明】
【００５５】
１０      ＬＥＤ照明器具
１１      発光基板
１２      筐体
１３      カバー
１５      ＬＥＤ実装基板
１４      光反射基板
１６      ＬＥＤ素子
１７      配線基板
１８、１８ａ乃至１８ｄ      光反射器
１９      光反射器支持基板
１９ａ      開口部
２４乃至２６      ＬＥＤ照明器具
【図１】
2012089395.tif 000003
【図２】
2012089395.tif 000004
【図３】
2012089395.tif 000005
【図４】
2012089395.tif 000006
【図５】
2012089395.tif 000007
【図６】
2012089395.tif 000008
【図７】
2012089395.tif 000009
【図８】
2012089395.tif 000010
【図９】
2012089395.tif 000011
【図１０】
2012089395.tif 000012
【図１１】
2012089395.tif 000013
【図１２】
2012089395.tif 000014
【図１３】
2012089395.tif 000015
【図１４】
2012089395.tif 000016
【図１５】
2012089395.tif 000017